(57)【要約】【課題】車両のナンバープレートの取外し、あるいは当該車両用ではないナンバープレートに付け替えた場合にエンジン始動が出来ない装置を提供する。【解決手段】本発明の装置は、ナンバープレート封印部に固有のＩＤを持つ電子素子１（例えば、ＲＦＩＤ、μチップ等）を搭載し、車体にナンバープレート判定部１０として、ナンバープレート封印部の電子素子のＩＤ情報を取り込むための読取装置２とナンバープレート封印部１００に登録しているＩＤ情報と同一情報を予め記憶しておく記憶装置４と、双方の情報を比較し合致するかを判断する始動可否判断手段３と判断結果を記録する記録蓄積装置５と異常を検出した場合にエンジンの始動信号をカットする装置５を有し、正規のナンバープレート以外での車両としての機能を果たさないようにする。これによりナンバープレート偽造・付け替え防止装置として活用する。【選択図】図１
2007245985.tif 000002
【特許請求の範囲】
【請求項１】
車両ナンバープレートの封印部に固有のＩＤを持つ電子素子を搭載し、車両のエンジン始動時にナンバープレートのＩＤ情報と車両内の記憶装置に予め登録した情報との比較を行い、双方のＩＤ情報が一致した場合のみエンジン始動可能とし、不一致の場合始動不可とするナンバープレート偽造・付け替え防止装置。
【請求項２】
請求項１において、エンジン始動あるいは始動不可となった際の結果を蓄積する記録蓄積装置と、その記録を後日読み出す機能を有する記録読込装置を具備したナンバープレート偽造・付け替え防止装置。
【請求項３】
請求項１において、同一ＩＤを有する複数個の電子素子を封印部の異なる個所に取り付けたものとするナンバープレート偽造・付け替え防止装置。
【発明の詳細な説明】
【技術分野】
【０００１】
本発明は、電子的に自動車を含む車両のナンバープレート偽造・付け替えの防止を行う装置に関する。
【背景技術】
【０００２】
自動車を含む車両の盗難が多発し、盗難と共にナンバープレートの偽造や違法な取り替えが行われる。ナンバープレートの偽造や違法な取り替えの、正確で迅速な検証手段が必要とされる。
自動車を含む車両自体の監視に関する公知例として特許文献１がある。かかる文献１は、車両各部（エンジン、サスペンション、タイヤ、車体本体、マフラー等）にセンサを取り付け、その物理量や状態漁を測定監視する従来例として、特許文献１がある。
【特許文献１】特開２００５−３２６３８０。
【０００３】
この従来例での監視目的は、車両部品の状態監視及び車両の使用状態の監視であり、後者の使用状態の監視では、違反車両（手配車両）のＩＤに基づく車両追跡を一例とする。
【発明の開示】
【発明が解決しようとする課題】
【０００４】
然るに、上記従来例には、車両のナンバープレートの封印の監視についての記載はない。ナンバープレートの封印は、陸運局の専権事項であり、陸運局自体又はその許可を受けた者のみが行える。封印は、例えば車両の後部のプレートに対して行う。権限のない者による封印の解除は、法律上禁止である。
【０００５】
封印の解除を権限なく行う例には、車の窃盗によるナンバープレートの付け替えや偽造等の犯罪行為がある。また、違法な車両の改造に伴う例もある。
【０００６】
ナンバープレートの偽造や不法な付け替えの監視は、その都度、車検証で確認したり、封印が解除されていることを目視で判断したりして行う例が多い。正確・確実・迅速に監視を行うことが難しい。
更に、ナンバープレートの付け替えが複数回にわたって行われることがあり、それらの履歴を知ることができれば、車両管理に便利である。
更に、ナンバープレート偽造や不法な付け替えが行われた場合、車両の始動を自動的に禁止できれば、そうした違法行為の抑止にもつながる。
【０００７】
本発明の目的は、車両のナンバープレート偽造や不法な付け替えの防止に役立つ防止装置を提供するにある。
更に本発明の目的は、偽造や不法な付け替え時に車両の始動を自動的に禁止可能にする防止装置を提供するにある。
【課題を解決するための手段】
【０００８】
本発明は、車両ナンバープレートの封印部に固有のＩＤを持つ電子素子を搭載し、車両のエンジン始動時にナンバープレートのＩＤ情報と車両内の記憶装置に予め登録した情報との比較を行い、双方のＩＤ情報が一致した場合のみエンジン始動可能とし、不一致の場合始動不可とするナンバープレート偽造・付け替え防止装置を開示する。
【０００９】
更に本発明は、エンジン始動あるいは始動不可となった際の結果を蓄積する記録蓄積装置と、その記録を後日読み出す機能を有する記録読込装置を具備したナンバープレート偽造・付け替え防止装置を開示する。
【００１０】
更に本発明は、同一ＩＤを有する複数個の電子素子を封印部の異なる個所に取り付けたものとするナンバープレート偽造・付け替え防止装置を開示する。
【発明の効果】
【００１１】
本発明によれば、車両ナンバープレートの偽造や不法な付け替えがあれば、そのことを電子データ的に自動確認でき、更に車両の始動の自動禁止がなされ、事実上の偽造等の防止がはかれる。
【発明を実施するための最良の形態】
【００１２】
図１は、本発明の防止装置の構成例図であり、図１（ａ）がナンバープレート封印部１００の一部に電子素子１を取り付け例を示す。電子素子１は、素子固有のＩＤを持ち、例えばＲＦＩＤ、Ｍチップ、ＩＣタグ等より成り、いずれも微細なサイズの素子を使用する。
【００１３】
電子素子１のプレート封印部１００への取り付けは、例えば接着剤により行う。取り付け個所は、プレートの封印部位であり、封緘する側が好ましい。プレートの封緘はナンバープレートをボルトで締結し、このボルトに対して封緘部材によってする、この封緘部材側に電子素子１を接着する。
【００１４】
図１（ｂ）は、本発明の防止装置としての構成例を示す。車両には、読取装置２、ナンバープレート判定部１０、自動車制御装置６を備える。車両の外部、例えば自動車メーカや販売店、或いは陸運側や捜査側に情報登録装置７、記録読取装置８を備える。
読取装置２は、電子素子１のデータを読み取る装置であり、この読取りは、無線、有線いずれもありうる。
【００１５】
電子素子１は、各車両毎の固有のＩＤ（コード）を持ち、例えば数１０桁のコードである。ＩＤの付加の時期は、メーカでの車両製造時点、出荷時点、販売店への納入又は販売時点、陸運局での登録時点のいずれかである。かかるＩＤを初期設定データと定義すれば、電子素子１には、その後の履歴データも登録する。履歴データには、ナンバープレートの修理や取りはずし作業の履歴、エンジン始動履歴を含む。
【００１６】
ナンバープレート判定部１０は、始動可否判定手段３、記憶装置４、記録蓄積装置５、始動信号カット装置９を備える。
記憶装置４は、上記電子素子１に初期設定されたＩＤと同一コードを記憶する。このコードは、外部の情報記録装置７から与えられる。
【００１７】
記憶蓄積装置５は、始動履歴データを取得すると共に、判断手段３に過去の履歴データを渡す。記憶蓄積装置５は、外部の記録読込装置８へそのデータを送る。
【００１８】
始動可否判定手段３は、始動すべきか否かの判定をし、始動信号カット装置９は、始動キーが操作されたときでも、始動可否判定手段３の始動不可の判定結果を受けて始動信号の送出をやめ又は始動禁止信号を発生する。
自動車制御用装置６は、エンジンの始動制御を行う装置である。
【００１９】
図２は、図１（ｂ）の装置の処理フローを示す。先ず、始動可否判定手段２が、エンジン稼動中か否かをチェックしエンジンが稼動中で無いことを確認する（ステップＳ２１）。ナンバープレート封印部に搭載した電子素子１のデータを、エンジン始動操作時（ステップＳ２２）に自動車車体に設置した読取装置２で読み込む（ステップＳ２３）。始動可否判定手段２が、読み込んだデータと予めデータ登録装置７にて記憶装置４に記憶させたデータとを比較し合致するかを検出する（ステップＳ２４）。ナンバープレートの偽造等による違法な取替えがなければ、両データは合致する。違法な取替えがあれば、電子素子１が接着されていなかったり、接着されていてもＩＤが変わっていたことになり、不一致となる。双方のデータが一致した場合は比較したデータを記録蓄積装置５に記録（ステップＳ２５）した後に自動車制御用装置６にてエンジンを始動させる（ステップＳ２７）。不一致の場合には、比較したデータを記録蓄積装置５に記録（ステップＳ２６）し始動信号カット装置９にてエンジンを始動させずに処理を終了する（ステップ２８）。自動車制御用装置６とは自動車に一般的に搭載されている制御用コンピュータである。記録蓄積装置５は記録保持を必要としない場合には無くても構わない。また、始動可否判断手段３と記憶装置４と記録蓄積装置５と始動信号カット装置９を自動車制御用装置６内に含まれても構わない。なお、記録蓄積装置５に蓄積した記録（ステップＳ２５、Ｓ２６）は、記録読取装置８を用いて読み取ることができる。記録読取装置８とは汎用
のパーソナルコンピュータあるいは専用読取装置かにはこだわらない。
【００２０】
ここで、ステップＳ２５、Ｓ２６における蓄積すべきデータとは、一致、不一致のいずれの結果であれ、その時の一致又は不一致の結果、及びそのＩＤ、並びに日付である。尚、エンジン始動は、通常では１日に何回も行われるため、その都度のデータ蓄積はデータの増大を招きかねない。従って、この対策としては、エンジン始動あった場合には、一致の結果及びそのＩＤ並びに日付はすて去り記憶させないやり方、又は１日に１回のみ始動ありを蓄積させるやり方等をとればよい。
【００２１】
尚、自動車メーカエ場および販売店内等でナンバープレート装着前の状態におけるエンジン始動には、可搬式の電子素子を取り付けたカード等を用いることとする。そのカード等のＩＤはメーカ、工場、販売店等で固有のものとし、ナンバープレート封印部に登録している情報と同一情報を予め記憶しておく記憶装置に予め翌録してあるものとす私これにより、ナンバープレート未装着状態でのエンジン始動は特定のカードを有する人間のみが可能となる。
【００２２】
電子素子１は、封印部の異なった位置に２個以上取り付ける例もある。これは、衝突等によるナンバープレートの封印部の破損による電子素子の損傷や破壊からＩＤを守るためである。異なる位置に設けることで、ＩＤの保護を確実に可能になる。また素子の故障対策にもなりうる。この場合、それぞれで同一ＩＤ番号にすれば、いわゆる多重化となり、どれか１つで一致があれば正常と判断できる利点を持つ。また異なるＩＤ番号を与える例もある。
【００２３】
本実施例により、ナンバープレート封印部の電子素子のＩＤ情報と自動車内に予め記憶しているＩＤ情報が合致しない場合にはエンジンを始動不可とすることで、ナンバープレートの偽造・付け替えを防止できる。これによりナンバープレートの偽造・付け替えが自動車の機能を奪うことに繋がり偽造・付け替えを直接的に無力化する力、すなわち抑止力を持つ。また、データ照合の履歴を蓄積することで、当該自動車に対して行った過去のナンバープレート付替え情報を読み出すことができる。
【図面の簡単な説明】
【００２４】
【図１】本発明を実現するシステム構成を示すものである。
【図２】本発明を実現する処理フローを示すものである。
【符号の説明】
【００２５】
１    電子素子
２    読取装置
３    始動可否判定手段
４    記憶装置
５    記録蓄積装置
６    自動車制御用装置
７    情報登録装置
８    記録読込装置
９    始動信号カット装置
【図１】
2007245985.tif 000003
【図２】
2007245985.tif 000004